(57)【特許請求の範囲】
【請求項１】
外部回路に対しての接続用のコネクタと、該コネクタが取り付けられるとともに電子部品が実装される回路基板と、側壁の端部で区画形成される開口部を有し該開口部を介して前記コネクタ及び前記回路基板が収容されるケースと、を備えた電子回路装置であって、
前記ケースは、前記側壁の前記端部側から前記側壁の基端側に向けて次第に間隔が狭くなる凹状のガイド凹部を有し、
前記コネクタは、前記ガイド凹部に案内されるとともに、前記ケースに対して最初に収容される側からその反対側に向けて次第に間隔が広くなる凸状のガイド凸部を有する
ことを特徴とする電子回路装置。
【請求項２】
請求項１に記載の電子回路装置において、
前記ガイド凹部及び前記ガイド凸部は、共にＶ字状の傾斜面を有することを特徴とする電子回路装置。
【請求項３】
請求項２に記載の電子回路装置において、
前記ガイド凹部及び前記ガイド凸部の各一方の斜面は、シール面を兼ねることを特徴とする電子回路装置。
【請求項４】
請求項１ないし請求項３いずれか記載の電子回路装置において、
前記コネクタは、前記回路基板に挿通される位置決め兼支持用の突起を有することを特徴とする電子回路装置。
【発明の詳細な説明】
【０００１】
【発明の属する技術分野】
本発明は、コネクタとそのコネクタが取り付けられる回路基板とこれらが収容されるケースとを備えた電子回路装置に関する。
【０００２】
【従来の技術】
この種の電子回路装置としては特開平９−３２１４６２号公報（出願人：株式会社カンセイ  出願番号：特願平８−１３９１８６号  出願日：平成８年５月３１日）に開示されたものが知られている。
【０００３】
図１０において、上記電子回路装置はアッパーケース１を有しており、そのアッパーケース１には、連続する開口部２及び３が形成されている。開口部２の周縁には、外方に向けて突出する取り付け用鍔部４が形成されており、アッパーケース１の上壁面５の内側四隅には、同一高さのボス部６が一体に形成されている。ボス部６には、電子部品７を実装した電子回路基板８が下側からネジ９によって取り付けられている。また、電子回路基板８には、開口部３を介して外部回路（相手側コネクタ）とコネクタ接続されるコネクタ１０がネジ１１によって取り付けられている。
【０００４】
コネクタ１０の複数のリード端子１２は、電子回路基板８に半田付けされており、また、コネクタ１０のハウジング１３の上壁には、突条１４（図１１参照）が突出形成されている。その突条１４は、コネクタ１０が収容される際、アッパーケース１の上壁面５に形成された突起１５、１５間に係入するようになっている。尚、引用符号１６はアッパーケース１の開口部２の縁部にネジ止め固定されるロアケースを示している。
【０００５】
【発明が解決しようとする課題】
上記従来技術にあっては、コネクタ接続時に、コネクタ１０の突条１４がアッパーケース１の突起１５に当接して移動規制がなされることから、電子回路基板８の破損等の恐れが解消され、信頼性の向上が図られている。
【０００６】
しかしながら、突起１５、１５の間隔が狭く、組み立ての際に十分に位置合わせをしてからコネクタ１０をアッパーケース１内に落とし込まなければならず、作業性が悪いのは勿論のこと、場合によってはコネクタ１０の突条１４が突起１５、１５間に係入しないこともあり得ることから、コネクタ１０が中途半端な状態で収容されていても、電子回路装置が組み立てられてしまう恐れがあった。
尚、コネクタ１０を電子回路基板８にネジ止めする作業は面倒であり、作業性とコストに影響を来してしまっている。
【０００７】
本発明は、上述した事情に鑑みてなされるもので、確実に組み立てられるとともに作業性が向上する安価な電子回路装置を提供することを課題とする。
【０００８】
【課題を解決するための手段】
上記課題を解決するためなされた請求項１記載の本発明の電子回路装置は、外部回路に対しての接続用のコネクタと、該コネクタが取り付けられるとともに電子部品が実装される回路基板と、側壁の端部で区画形成される開口部を有し該開口部を介して前記コネクタ及び前記回路基板が収容されるケースと、を備えた電子回路装置であって、前記ケースは、前記側壁の前記端部側から前記側壁の基端側に向けて次第に間隔が狭くなる凹状のガイド凹部を有し、前記コネクタは、前記ガイド凹部に案内されるとともに、前記ケースに対して最初に収容される側からその反対側に向けて次第に間隔が広くなる凸状のガイド凸部を有することを特徴としている。
【０００９】
請求項２記載の本発明の電子回路装置は、請求項１に記載の電子回路装置において、前記ガイド凹部及び前記ガイド凸部は、共にＶ字状の傾斜面を有することを特徴としている。
【００１０】
請求項３記載の本発明の電子回路装置は、請求項２に記載の電子回路装置において、前記ガイド凹部及び前記ガイド凸部の各一方の斜面は、シール面を兼ねることを特徴としている。
【００１１】
請求項４記載の本発明の電子回路装置は、請求項１ないし請求項３いずれか記載の電子回路装置において、前記コネクタは、前記回路基板に挿通される位置決め兼支持用の突起を有することを特徴としている。
【００１２】
請求項１に記載された本発明によれば、電子回路装置は、ガイド凸部を有するコネクタと、そのコネクタが取り付けられる回路基板と、ガイド凹部を有するケースとを備えている。ガイド凹部はケースの側壁の端部側が広く、また、ガイド凸部はコネクタの最初に収容される側が狭くなっていることから、コネクタの収容においては高い位置精度を必要とすることはない。コネクタをケースに収容すると、ガイド凸部がガイド凹部に案内されるから、中途半端な状態で収容されることはない。コネクタは確実にケース内に収容される。
【００１３】
請求項２に記載された本発明によれば、ガイド凹部にガイド凸部がはまり込むような状態でコネクタがケース内に収容される。コネクタ接続の際、外部回路側から受ける作用はガイド凸部を介してガイド凹部に掛かることになり、回路基板への応力集中が分散される。
【００１４】
請求項３に記載された本発明によれば、コネクタがケース内に収容されると、ガイド凹部及びガイド凸部の各一方の斜面により、ケースとコネクタとのシール性が確保される。
【００１５】
請求項４に記載された本発明によれば、コネクタの突起を回路基板に挿通させることでコネクタの位置決めと支持がなされる。従来のようなネジ止めの作業をする必要はない。
【００１６】
【発明の実施の形態】
以下、図面を参照して本発明の一実施の形態を説明する。
図１は本発明の電子回路装置の一実施の形態を示す断面図である。また、図２ないし図４はケースに関する各種の図、図５ないし図７はコネクタに関する各種の図である。
【００１７】
図１において、引用符号２１は例えば自動車等の車両に搭載される電子回路装置（ＥＣＵ  エンジン・コントロール・ユニットなど）を示している。その電子回路装置２１は、ケース２２と、ケース２２内に収容されるコネクタ２３と、コネクタ２３が取り付けられる回路基板２４とを備えて構成されており、コネクタ２３に外部回路としての相手側コネクタ２５がコネクタ接続されるようになっている。
【００１８】
先ず、上記構成について詳細に説明する。
上記ケース２２は合成樹脂製であって、図２ないし図４のいずれかに示され如く、底壁２６と底壁２６の周縁に形成される側壁２７〜３０とで略矩形の有底の箱状に形成されている。また、側壁２７〜３０の端部で開口部３１が区画形成されている。開口部３１には、外方に膨出する矩形の枠部３２が連成されている。
【００１９】
底壁２６は、矩形に形成されており、底壁２６の内側四隅には、同一高さのボス部３３が一体に形成されている。ボス部３３は、側壁２８〜３０に連続しており、その先端の平らな面にねじ穴３４が形成されている。ボス部３３の先端の位置は、開口部３１よりも回路基板２４（図１参照）の厚み分だけ下がって形成されている。
【００２０】
側壁２７〜３０は、その内訳をすると、側壁２７が相手側コネクタ２５（図１参照）との接続側になり、側壁２８が側壁２７の対面側に位置するようになっている。また、側壁２９は、側壁２７を正面として定義すると側壁２７及び２８間の左側に、側壁３０は右側に位置するようになっている。
【００２１】
もう少し詳しく説明すると、側壁２８〜３０は、底壁２６に対して直交方向に立設されており、側壁２７のみが傾斜して形成さている。また、側壁２７には、矩形の開口部３５が貫通形成されている。開口部３５は、コネクタ２３の一部を突出させるために形成されている。側壁２８はフラットであり、側壁２９及び３０の内側には、ガイド凹部３６、３６が一体に形成されている。
【００２２】
ガイド凹部３６、３６は、それぞれ傾斜面３７、３７を有しており、その傾斜面３７、３７の一方が側壁２７によって、他方はボス部３３（側壁２７側の二つ）によって構成されている。ガイド凹部３６、３６は、それぞれ傾斜面３７、３７によりＶ字且つ凹状に形成されている。また、ガイド凹部３６、３６は、側壁２９及び３０の各端部側から基端側（底壁２６側）に向けて次第に傾斜面３７、３７の間隔が狭くなるように形成されている。尚、側壁２７側の傾斜面３７、３７は、シール面を兼ねている。
【００２３】
上記コネクタ２３は、図５ないし図７のいずれかに示され如く、コネクタハウジング３８とそのコネクタハウジング３８に装着される複数の端子３９及び４０とを備えて構成されている。
【００２４】
コネクタハウジング３８は、合成樹脂製であって、四つの（この数に限られないものとする）のコネクタ嵌合部４１を有している。その四つのコネクタ嵌合部４１のそれぞれ奥壁４２には、所定の端子３９又は４０がインサート成形等により装着されるようになっている。引用符号４３は端子位置決め用のガイドプレートを示している。
【００２５】
コネクタハウジング３８には、その両側壁４４、４４に凸状のガイド凸部４５、４５が一体に形成されている。ガイド凸部４５、４５は、上壁４６側が頂角となる三角形状であって、両側壁４４、４４に対してそれぞれ外方へ突出するように形成されている。また、ガイド凸部４５、４５は、上記頂角を挟む傾斜面４７、４７がガイド凹部３６（図４参照）の傾斜面３７、３７に対応するＶ字状に形成されている。即ち、ガイド凸部４５、４５は、上壁４６から下壁４８に向けて次第に傾斜面４７、４７の間隔が広くなるＶ字状（又は三角形状）に形成されている。
【００２６】
尚、コネクタ嵌合部４１の開放端側の傾斜面４７、４７を含んで、シールパッキン４９がコネクタハウジング３８に配設されている。引用符号５０はシールパッキン４９に対する係止部を示している。上記開放端側の傾斜面４７、４７は、シール面を兼ねている。
【００２７】
コネクタハウジング３８の下壁４８には、突起５１が一体に形成されている。突起５１は、回路基板２４（図１参照）に対しての位置決め且つ支持用に形成されている。また、回路基板２４（図１参照）の厚み分だけ丸ピン状に突出形成されている。突起５１の先端は面取りがされており、回路基板２４（図１参照）への挿通が容易になるように形成されている。
【００２８】
端子３９及び４０は、導電性を有する金属材料によって製造されている。また、Ｌ字状に折曲形成されている。端子３９及び４０がコネクタハウジング３８に装着されると、その一端側は対応するコネクタ嵌合部４１内に突出し、他端側はガイドプレート４３から導出されるようになっている。
【００２９】
図１に戻り、上記回路基板２４は、所望のパターンで複数の回路が形成されており、特に図示しないが、複数の電子部品が実装されている。また、回路基板２４には、コネクタ２３の突起５１に対する孔５２と、端子３９及び４０（図６参照）の上記他端側に対する複数の端子挿通孔５３（図９参照）とが貫通形成されている。孔５２は、突起５１の直径に対して一致又は若干大きな径で形成されている。
【００３０】
次に、図８〜９、又は図１を参照しながら電子回路装置２１の組み立てについて説明する。
図８はコネクタの収容前及び収容途中の組み立て状態を示す説明図、図９はコネクタの収容後の組み立て状態を示す説明図を示している。
尚、コネクタ２３及び回路基板２４は、予め所定の組み立て及び配索がなされているものとする。
【００３１】
図８において、はじめにケース２２及びコネクタ２３をセットする。コネクタ２３は、ケース２２の開口部３１側に配置され、コネクタハウジング３８の上壁４６が最初に収容されるようになる。言い換えれば、ケース２２におけるガイド凹部３６、３６（一方のみ図示、以下同様）の各傾斜面３７、３７の間隔が一番広い部分に、コネクタ２３におけるガイド凸部４５、４５（一方のみ図示、以下同様）の各傾斜面４７、４７の間隔が一番狭い部分（上記頂角の部分）がまず最初に係入するようにケース２２及びコネクタ２３をセットする。
【００３２】
続いて、コネクタ２３をケース２２内へ真っ直ぐに落とし込むように収容する（矢線Ｐ方向参照）。この時、コネクタ２３のガイド凸部４５、４５がケース２２のガイド凹部３６、３６に案内される。コネクタ２３がケース２２に対して十分に位置合わせされていなくても、ガイド凹部３６、３６及びガイド凸部４５、４５により、コネクタ２３がケース２２の所定位置に案内される（上記セットにおいては高い位置精度を必要としない）。コネクタ２３は確実にケース２２内に収容される。また、側壁２７側の傾斜面３７、３７と上記開放端側の傾斜面４７、４７とがシールパッキン４９を挟んで密着する。これにより、ケース２２とコネクタ２３とのシール性が確保される。言い換えれば、コネクタ２３をケース２２内に落とし込むだけで、ケース２２とコネクタ２３とのシール性が確保される。
【００３３】
コネクタ２３がケース２２内に収容されると、続いて、図９に示される如く、回路基板２４をセットし、その回路基板２４を開口部３１を介してケース２２に収容する。この時、コネクタ２３の突起５１が孔５２に、また、端子３９及び４０の上記他端側が挿通孔５３に挿通される。
【００３４】
続いて、図１に示される如く、回路基板２４をネジ５４で固定する（コネクタ２３を直接ネジ止めする必要はない）とともに、端子３９及び４０（図６参照）の上記他端側を回路基板２４に半田付けする。ネジ５４がボス部３３のねじ穴３４（図３参照）に螺合し、回路基板２４がケース２２に収容、固定される。
以上により、電子回路装置２１の一連の組み立てが完了する。
【００３５】
尚、相手側コネクタ２５をコネクタ２３にコネクタ接続すると、ガイド凸部４５、４５を介して相手側コネクタ２５からの作用がガイド凹部３６、３６に掛かることになるが、回路基板２４に上記作用が直接掛かることはない。
【００３６】
その他、本発明は本発明の主旨を変えない範囲で種々変更実施可能なことは勿論である。
即ち、側壁２９及び３０を直接凹ませて上記ガイド凹部３６、３６と同じ構成のものを形成することは当然に可能である。また、傾斜面３７、３７のいずれかを垂直面に変更して略レ字状に形成することも可能である。
【００３７】
【発明の効果】
以上説明したように、請求項１に記載された本発明によれば、ガイド凸部を有するコネクタと、そのコネクタが取り付けられる回路基板と、ガイド凹部を有するケースとを備えて電子回路装置が構成されている。ガイド凹部はケースの側壁の端部側が広く、また、ガイド凸部はコネクタの最初に収容される側が狭くなっていることから、コネクタの収容においては高い位置精度を必要とせず、容易に収容に係る作業をすることができる。コネクタがケースに収容されると、ガイド凸部がガイド凹部に案内されるから、コネクタを確実にケース内に収容させることができる。
従って、確実に組み立てられるとともに作業性が向上する電子回路装置を提供することができるという効果を奏する。
【００３８】
請求項２に記載された本発明によれば、ガイド凹部及びガイド凸部が共にＶ字状の傾斜面を有することから、ガイド凹部にガイド凸部がはまり込むような状態でコネクタをケース内に収容させることができる。
従って、コネクタ接続の際に、外部回路側から受ける作用をガイド凸部を介してガイド凹部に効率よく掛けることができるようになるから、請求項１の効果の他に、回路基板への応力集中を分散させることができるという効果も奏する。
【００３９】
請求項３に記載された本発明によれば、ガイド凹部及びガイド凸部の各一方の斜面がシール面を兼ねることから、コネクタをケースに収容するだけで、これらのシール性を確保することができる。
従って、請求項２の効果の他に、ケースとコネクタとのシール性を確保することができるという効果も奏する。
【００４０】
請求項４に記載された本発明によれば、コネクタが回路基板に挿通される位置決め兼支持用の突起を有していることから、従来のようなネジ止めの作業をする必要はなく、部品点数の削減をすることができる。
従って、請求項１ないし請求項３いずれか効果の他に、安価な電子回路装置を提供することができるという効果も奏する。
【図面の簡単な説明】
【図１】本発明による電子回路装置の一実施の形態を示す断面図である。
【図２】ケースの平面図である。
【図３】ケースの底面図である。
【図４】図２のＡ−Ａ線断面図である。
【図５】コネクタの正面図である。
【図６】コネクタの一部断面を含む平面図である。
【図７】コネクタの右側面図である。
【図８】コネクタの収容前及び収容途中の組み立て状態を示す説明図である。
【図９】コネクタの収容後の組み立て状態を示す説明図である。
【図１０】従来例の電子回路装置の断面図である。
【図１１】図１０のコネクタの斜視図である。
【符号の説明】
２１  電子回路装置
２２  ケース
２３  コネクタ
２４  回路基板
２６  底壁
２７〜３０  側壁
３１  開口部
３３  ボス部
３６  ガイド凹部
３７  傾斜面
３８  コネクタハウジング
３９、４０  端子
４１  コネクタ嵌合部
４３  ガイドプレート
４４  側壁
４５  ガイド凸部
４６  上壁
４７  傾斜面
４８  下壁
４９  シールパッキン
５１  突起
５２  孔
５３  端子挿通孔
【図１】
0003736788.tif 000002
【図２】
0003736788.tif 000003
【図３】
0003736788.tif 000004
【図４】
0003736788.tif 000005
【図５】
0003736788.tif 000006
【図６】
0003736788.tif 000007
【図７】
0003736788.tif 000008
【図８】
0003736788.tif 000009
【図９】
0003736788.tif 000010
【図１０】
0003736788.tif 000011
【図１１】
0003736788.tif 000012